(57)【要約】【課題】回転方向の位置決めを容易とすることで、組み立て時に人為的ミスが発生しにくく、また、作業性もよいＬＥＤ照明灯を提供する。【解決手段】複数のＬＥＤ１２を配設したＬＥＤ基板１１と、前記ＬＥＤ基板１１を覆う筒状のカバー２０と、前記カバー２０の両端に冠着されるソケット３０と、を備えた直管形のＬＥＤ照明灯１０であって、前記カバー２０は、前記ＬＥＤ基板１１を下方に向けて支持する支持部材２１と、前記支持部材２１の下側に固定される光拡散カバー２５と、を備え、前記支持部材２１と前記光拡散カバー２５とは、互いに接合されて円筒形状を形成するとともに、一方が他方よりも長く形成されることにより前記円筒形状の端面に段差２０ａを形成しており、前記ソケット３０は、前記カバー２０の付き当て面に前記段差２０ａに係合する係合部３０ａが形成されている。【選択図】図７
2013122826.tif 000002
【特許請求の範囲】
【請求項１】
複数のＬＥＤを配設したＬＥＤ基板と、
前記ＬＥＤ基板を覆う筒状のカバーと、
前記カバーの両端に冠着されるソケットと、
を備えた直管形のＬＥＤ照明灯であって、
前記カバーは、前記ＬＥＤ基板を下方に向けて支持する支持部材と、前記支持部材の下側に固定される光拡散カバーと、を備え、
前記支持部材と前記光拡散カバーとは、互いに接合されて円筒形状を形成するとともに、一方が他方よりも長く形成されることにより前記円筒形状の端面に段差を形成しており、
前記ソケットは、前記カバーの付き当て面に前記段差に係合する係合部が形成されていることを特徴とする、ＬＥＤ照明灯。
【請求項２】
前記支持部材が前記光拡散カバーよりも短く形成されていることを特徴とする、請求項１記載のＬＥＤ照明灯。
【発明の詳細な説明】
【技術分野】
【０００１】
この発明は、直管形のＬＥＤ照明灯に関し、特に、組み立て時に回転方向の位置決めがし易いＬＥＤ照明灯に関するものである。
【背景技術】
【０００２】
近年、既存の蛍光灯と構造的に互換性のあるＬＥＤ照明灯が提案されている（例えば特許文献１参照）。
【０００３】
こうしたＬＥＤ照明灯は、円筒状の本体部と、この本体部の両側に設けられたソケット部とを備えており、外形状は従来の蛍光灯と同様となっている。
【先行技術文献】
【特許文献】
【０００４】
【特許文献１】特開２０１１−２１０７２９号公報
【発明の概要】
【発明が解決しようとする課題】
【０００５】
上記したようなＬＥＤ照明灯を組み立てる際には、本体部の内部にＬＥＤ基板を収容してソケットを嵌合させ、接着するなどして組み立てる。このとき、ＬＥＤ基板のＬＥＤ実装面が下面側にくるように位置決めする必要があるため、例えばソケットの側面に目印を設けるなどして回転方向の位置決めを行っていた。
【０００６】
しかしながら、このように目視で位置決めを行うこととすると、人為的ミスの発生が懸念され、また、作業性も悪いという問題があった。特に、ＬＥＤは照射方向の角度がずれてしまうと正規の照度分布特性が得られなくなり照明光源として致命的となるため、正確に回転方向の位置決めを行う必要があり、位置決めの正確性と容易性が強く求められていた。
【０００７】
そこで、本発明は、回転方向の位置決めを容易とすることで、組み立て時に人為的ミスが発生しにくく、また、作業性もよいＬＥＤ照明灯を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載のＬＥＤ照明灯は、複数のＬＥＤを配設したＬＥＤ基板と、前記ＬＥＤ基板を覆う筒状のカバーと、前記カバーの両端に冠着されるソケットと、を備えた直管形のＬＥＤ照明灯であって、前記カバーは、前記ＬＥＤ基板を下方に向けて支持する支持部材と、前記支持部材の下側に固定される光拡散カバーと、を備え、前記支持部材と前記光拡散カバーとは、互いに接合されて円筒形状を形成するとともに、一方が他方よりも長く形成されることにより前記円筒形状の端面に段差を形成しており、前記ソケットは、前記カバーの付き当て面に前記段差に係合する係合部が形成されていることを特徴とする。
【００１１】
（請求項２）
請求項２に記載の発明は、上記した請求項１記載の発明の特徴点に加え、以下の点を特徴とする。
【００１２】
すなわち、前記支持部材が前記光拡散カバーよりも短く形成されていることを特徴とする。
【発明の効果】
【００１３】
本発明は上記の通りであり、支持部材と光拡散カバーとは、互いに接合されて円筒形状を形成するとともに、一方が他方よりも長く形成されることにより前記円筒形状の端面に段差を形成しており、ソケットは、カバーの付き当て面に前記段差に係合する係合部が形成されている。このため、支持部材と光拡散カバーとで構成されるカバーにソケットを被せたときに、断差が係合部と係合して回転方向の位置決めが行われるので、正確かつ容易に位置決めを行うことができる。これにより、組み立て時に人為的ミスが発生しにくく、また、作業性もよいＬＥＤ照明灯を提供することができる。
【００１４】
このとき、前記支持部材を前記光拡散カバーよりも短く形成することが望ましい。すなわち、支持部材は通常は放熱板を兼ねてアルミなどの金属で形成されているため、この支持部材を短く形成してソケットに付き当てるようにすれば、公差の小さい材料（金属）で形成された支持部材で寸法出しを行うことができる。
【図面の簡単な説明】
【００１５】
【図１】ＬＥＤ照明灯の（ａ）正面図、（ｂ）中間部を省略した側面図である。
【図２】ＬＥＤ照明灯を上から見た一部拡大分解図である。
【図３】ＬＥＤ照明灯を下から見た一部拡大分解図である。
【図４】ＬＥＤ照明灯のＡ−Ａ断面図である。
【図５】カバーの側面図である。
【図６】ソケットの筒部材の斜視図である。
【図７】ソケットの筒部材の背面図である。
【図８】ソケットの筒部材のＢ−Ｂ断面図である。
【発明を実施するための形態】
【００１６】
本実施形態に係るＬＥＤ照明灯１０は、従来の蛍光灯と構造的に互換性のある直管形の照明灯であり、従来の蛍光灯用の灯具本体に接続可能となっている。
【００１７】
このＬＥＤ照明灯１０は、複数のＬＥＤ１２を配設したＬＥＤ基板１１と、このＬＥＤ基板１１への電力供給を制御する制御基板４０と、ＬＥＤ基板１１及び制御基板４０を覆う筒状のカバー２０と、このカバー２０の両端に冠着されるソケット３０と、を備えている。このＬＥＤ照明灯１０は、従来の蛍光灯と同様に、両端のソケット３０が灯具本体の接続部に取り付けられ、この接続部を介して電力が供給されることで点灯する。
【００１８】
（ＬＥＤ基板１１）
ＬＥＤ基板１１は、複数のＬＥＤ１２を表面に実装した基盤である。このＬＥＤ基板１１には、ＬＥＤ１２に対して供給する電気を蓄えたコンデンサ１３も実装されている。
【００１９】
（制御基板４０）
制御基板４０は、ＬＥＤ基板１１上の複数のＬＥＤ１２のオン・オフを切り替えるためのトランジスタ等が実装された基板である。特に図示しないが、この制御基板４０は、外部から供給された電力を制御するための制御回路を備えており、この制御回路を介してＬＥＤ基板１１へと電力を供給する。
【００２０】
（カバー２０）
カバー２０は、ＬＥＤ基板１１を下方に向けて支持する支持部材としての放熱パイプ２１と、放熱パイプ２１の下側に固定される光拡散カバー２５と、を備えている。このカバー２０は、光拡散カバー２５と放熱パイプ２１とが接合されると全体として円筒形状を形成する。
【００２１】
（放熱パイプ２１）
放熱パイプ２１は、アルミ製の押し出し型材であり、略半月状のパイプ部２１ａと、このパイプ部２１ａの下方に一体的に延設された下垂部２１ｂと、を備えている。この放熱パイプ２１は、ＬＥＤ基板１１及び制御基板４０が面接触するように取り付けられ、基板の熱を放熱するためのヒートシンクの役割を果たすようになっている。
【００２２】
略半月状のパイプ部２１ａは、内部が中空となっており、この中空の内部に制御基板４０をスライド挿入できるようになっている。
【００２３】
下垂部２１ｂは、パイプ部２１ａの平坦面から下方に突出しており、カバー２０の長手方向全長に渡って両側に平行に２つ形成されている。この２つの下垂部２１ｂの内側面には、対向する位置に狭持溝２１ｃが形成されており、この狭持溝２１ｃにＬＥＤ基板１１を差し込んでスライドさせることで、ＬＥＤ１２の実装面が下方を向くようにＬＥＤ基板１１を保持できるようになっている。また、２つの下垂部２１ｂの外側面には外溝２１ｄが形成されており、この外溝２１ｄによって光拡散カバー２５を取り付け可能となっている。
【００２４】
（光拡散カバー２５）
光拡散カバー２５は、略Ｃ字形に形成された樹脂製の押し出し型材である。光拡散カバー２５は、全体が透光性の光透過部２５ｂを構成しており、下方及び側方にＬＥＤ１２の発する光を放出させるように形成されている。
【００２５】
この光拡散カバー２５の両側の開放端部は、内側に鉤状に突出しており、係合爪部２５ａを形成している。この係合爪部２５ａが前述した放熱パイプ２１の外溝２１ｄに差し込まれることにより、光拡散カバー２５は放熱パイプ２１に取り付け可能となっている。光拡散カバー２５を放熱パイプ２１に取り付ける際には、光拡散カバー２５の弾性を利用して両側の係合爪部２５ａが離れる方向に押し広げ、外溝２１ｄに差し込む。これにより、両側の係合爪部２５ａが外溝２１ｄを外から挟み込んで、光拡散カバー２５と放熱パイプ２１とが互いに接合される。
【００２６】
（ソケット３０）
ソケット３０は、カバー２０の両端に冠着される有底円筒状の部材であり、樹脂製の筒部材３１と、この筒部材３１の端部に装着される電極キャップ３２と、を備えている。
【００２７】
筒部材３１は、カバー２０の端部外周に外装されるために筒状に形成されている。この筒部材３１の底部、すなわち、カバー２０の付き当て面には、図７及図８に示すように、内周縁に２つの係合突起３０ａ（係合部）が設けられている。
【００２８】
また、電極キャップ３２は、２つのピン３２ａが突出形成された金属製の部材である。ＬＥＤ照明灯１０は、この電極キャップ３２のピン３２ａを灯具本体の接続部に挿入接続することで灯具本体に装着され、このピン３２ａによって自重を支えられるようになっている。
【００２９】
（カバー２０とソケット３０との嵌合について）
カバー２０は、上述したように、放熱パイプ２１と光拡散カバー２５とを接合して形成されているが、この放熱パイプ２１と光拡散カバー２５との長さは異なるように形成されている。本実施形態においては、放熱パイプ２１が、光拡散カバー２５よりも約６ｍｍ短く形成されている。このため、放熱パイプ２１と光拡散カバー２５とを接合したときに、円筒形状のカバー２０の両端面にそれぞれ３ｍｍの段差２０ａが形成されるようになっている（図５参照）。
【００３０】
また、上述したように、ソケット３０を構成する筒部材３１には、カバー２０の付き当て面に２つの係合突起３０ａが形成されている。この係合突起３０ａは、上記した段差２０ａよりも大きく（すなわち、３ｍｍ以上に）設定されている（図８参照）。この２つの係合突起３０ａは、中心からみた角度Ｒ１（図７参照）が約１１０度となる位置に離れて形成されており、この角度Ｒ１は放熱パイプ２１が形成する円弧の角度Ｒ２（図４参照）とほぼ等しくなっている。
【００３１】
上記した構成により、カバー２０をソケット３０に差し込み、カバー２０をソケット３０の奥方向に押し当てつつ回転させると、所定の位置で段差２０ａに係合突起３０ａが係合するので、ソケット３０に対するカバー２０の回転方向の位置決めを行うことができる。
【００３２】
このように段差２０ａに係合突起３０ａを係合させて位置決めをしたＬＥＤ照明灯１０は、灯具本体に取り付けたときにＬＥＤ基板１１のＬＥＤ１２実装面が真下を向く（放熱パイプ２１が真上に配置され、光拡散カバー２５が真下に配置される）ように形成されており、ＬＥＤ１２の照射方向を正しい方向とすることができる。
【００３３】
（まとめ）
本実施形態は上記の通りであり、放熱パイプ２１と光拡散カバー２５とは、互いに接合されて円筒形状を形成するとともに、一方が他方よりも長く形成されることにより円筒形状の端面に段差２０ａを形成しており、ソケット３０は、カバー２０の付き当て面に前記段差２０ａに係合する係合突起３０ａが形成されている。このため、放熱パイプ２１と光拡散カバー２５とで構成されるカバー２０にソケット３０を被せたときに、段差２０ａが係合突起３０ａと係合して回転方向の位置決めが行われるので、正確かつ容易に位置決めを行うことができる。これにより、組み立て時に人為的ミスが発生しにくく、また、作業性もよいＬＥＤ照明灯１０を提供することができる。
【００３４】
また、金属製の放熱パイプ２１が光拡散カバー２５よりも短く形成されており、この放熱パイプ２１が係合突起３０ａに突き当たって全体の寸法出しが行われているため、公差の小さい材料（金属）で形成された放熱パイプ２１で寸法出しを行うことができる。
【符号の説明】
【００３５】
１０  ＬＥＤ照明灯
１１  ＬＥＤ基板
１２  ＬＥＤ
１３  コンデンサ
２０  カバー
２０ａ  段差
２１  放熱パイプ（支持部材）
２１ａ  パイプ部
２１ｂ  下垂部
２１ｃ  狭持溝
２１ｄ  外溝
２５  光拡散カバー
２５ａ  係合爪部
２５ｂ  光透過部
３０  ソケット
３０ａ  係合突起（係合部）
３１  筒部材
３２  電極キャップ
３２ａ  ピン
４０  制御基板
【図１】
2013122826.tif 000003
【図２】
2013122826.tif 000004
【図３】
2013122826.tif 000005
【図４】
2013122826.tif 000006
【図５】
2013122826.tif 000007
【図６】
2013122826.tif 000008
【図７】
2013122826.tif 000009
【図８】
2013122826.tif 000010